(57)【要約】【課題】超広帯域通信で伝送するデータパケットを構成する場合、データパケットの予備ビットのうち一部予備ビットをテールビットとして設定し、データパケット構成に必要な量のテールビットを充分確保することによりデータパケットの信頼性が向上された予備ビットを利用したデータパケットの構成方法が提供される。【解決手段】  本発明に係る予備ビットを用いたデータパケット構成方法は、ヘッダ内に、第１テールビットと、第２テールビット２４０、及び第３テールビット２２０を含んで構成されるステップと、ＰＨＹヘッダの予備ビットのうち終わり部分の複数ビットを前記第１テールビットで構成するステップと、を含む。【選択図】図２
2007110729.tif 000002
【特許請求の範囲】
【請求項１】
ＰＬＣＰヘッダ内に、第１テールビット（Ｔａｉｌ  ｂｉｔｓ）と、第２テールビット、及び第３テールビットを含んで構成させるステップと、
物理階層（ＰＨＹ）ヘッダの予備ビットのうち終わり部分の複数のビットを前記第１テールビットに構成させるステップと、
を含むことを特徴とする予備ビットを利用したデータパケットの構成方法。
【請求項２】
前記複数のビットが２ビットであることを特徴とする請求項１に記載の予備ビットを利用したデータパケットの構成方法。
【請求項３】
前記第１テールビットが４ビット、前記第２テールビットが６ビット、及び前記第３テールビットが６ビットで構成されることを特徴とする請求項２に記載の予備ビットを利用したデータパケットの構成方法。
【請求項４】
前記第１テールビットが５ビット、前記第２テールビットが５ビット、及び前記第３テールビットが６ビットで構成されることを特徴とする請求項２に記載の予備ビットを利用したデータパケットの構成方法。
【請求項５】
前記第１テールビットが第１ＣＲＣビットであり、前記第２テールビットが第２ＣＲＣビットであることを特徴とする請求項２に記載の予備ビットを利用したデータパケットの構成方法。
【請求項６】
前記第１ＣＲＣビットが５ビットであり、前記第２ＣＲＣビットが５ビットであることを特徴とする請求項５に記載の予備ビットを利用したデータパケットの構成方法。
【請求項７】
前記第１テールビットがＣＲＣビットであることを特徴とする請求項２に記載の予備ビットを利用したデータパケットの構成方法。
【請求項８】
前記ＣＲＣビットが４ビットであることを特徴とする請求項７に記載の予備ビットを利用したデータパケットの構成方法。
【請求項９】
第１テールビット、第２テールビット、及び第３テールビットを含んで構成されるＰＬＣＰヘッダと、
予備ビットのうち終わり部分の複数のビットを前記第１テールビットで構成する物理階層（ＰＨＹ）ヘッダと、
を含むことを特徴とするデータパケット。
【請求項１０】
前記複数のビットが２ビットであることを特徴とする請求項９に記載のデータパケット。
【請求項１１】
前記第１テールビットが４ビット、前記第２テールビットが６ビット、及び前記第３テールビットが６ビットで構成されることを特徴とする請求項１０に記載のデータパケット。
【請求項１２】
前記第１テールビットが５ビット、前記第２テールビットが５ビット、及び前記第３テールビットが６ビットで構成されることを特徴とする請求項１０に記載のデータパケット。
【請求項１３】
前記第１テールビットが第１ＣＲＣビットであり、前記第２テールビットが第２ＣＲＣビットであることを特徴とする請求項１０に記載のデータパケット。
【請求項１４】
前記第１ＣＲＣビットが５ビットであり、前記第２ＣＲＣビットが５ビットであることを特徴とする請求項１３に記載のデータパケット。
【請求項１５】
前記第１テールビットがＣＲＣビットであることを特徴とする請求項１０に記載のデータパケット。
【請求項１６】
前記ＣＲＣビットが４ビットであることを特徴とする請求項１５に記載のデータパケット。
【発明の詳細な説明】
【技術分野】
【０００１】
本発明は予備ビットを利用したデータパケットの構成方法及びデータパケットに関し、詳細には超広帯域無線（ＵＷＢ：Ｕｌｔｒａ  Ｗｉｄｅ  Ｂａｎｄ）通信において伝送するデータパケットを構成する場合、データパケットの予備ビット（Ｒｅｓｅｒｖｅｄ  ｂｉｔｓ）のうち一部の予備ビットをテールビット（ｔａｉｌ  ｂｉｔ）として設定し、データパケットの構成に必要な量のテールビットを充分確保することによってデータパケットの信頼性を高めた予備ビットを利用したデータパケットの構成方法及びデータパケットに関する。
【背景技術】
【０００２】
最近、注目を浴びている超広帯域無線技術は、数百メガヘルツ帯域を用いて高速データの伝送を可能にする。このような超広帯域無線通信を具現するため用いられる技術の一つがＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘ  直交周波数分割多重）である。ＯＦＤＭは相異なる数十または数百種類の周波数の下位搬送波（ｓｕｂ−ｃａｒｒｉｅｒ）を使うことによってデジタルデータの伝送システムより多い情報を各シンボル区間に圧縮して伝送することができる。これによって、ＯＦＤＭは他のデジタル伝送システムよりもシンボルを小さく使用しながらも同じ秒当たりビット数を伝送することができる。
【０００３】
一方、図１は超広帯域通信でＭＢ−ＯＦＤＭ方式に基づいて送受信されるＰＬＣＰヘッダのパケット構造を示す図面である。
【０００４】
図１に図示されたように、ＰＬＣＰ（Ｐｈｙｓｉｃａｌ  Ｌａｙｅｒ  Ｃｏｎｖｅｒｇｅｎｃｅ  Ｐｒｏｔｏｃｏｌ）ヘッダは、ＰＨＹ（Ｐｈｙｓｉｃａｌ）ヘッダ（４０ビット）、第１テール（Ｔａｉｌ）ビット１１０（６ビット）、スクランブルＭＡＣ（Ｍｅｄｉａ  Ａｃｃｅｓｓ  Ｃｏｎｔｒｏｌ）ヘッダ／ＨＣＳ（Ｈｅａｄｅｒ  Ｃｈｅｃｋ  Ｓｅｑｕｅｎｃｅ）（９６ビット）、第２テールビット１２０（６ビット）、リード−ソロモン  パリティ  バイト（Ｒｅｅｄ−Ｓｏｌｏｍｏｎ  Ｐａｒｉｔｙ  Ｂｙｔｅｓ  ４８ビット）、第３テールビット１３０（４ビット）などで構成される。
【０００５】
すなわち、ＰＬＣヘッダは合わせて２００ビットからなり、このうち第１及び第２テールビット１１０，１２０は６ビットで構成されるが、終り部分の第３テールビット１３０は２００ビットに合わせるため４ビットからなっていることが分かる（例えば、特許文献１，２、非特許文献１，２参照）。
【０００６】
ところが、データパケットを、畳み込みコード（Ｃｏｎｖｏｌｕｔｉｏｎ  ｃｏｄｅ）を利用してエンコードする場合、データパケットの終り部分で制約の長さ（Ｃｏｎｓｔｒａｉｎｔ  Ｌｅｎｇｔｈ（Ｋ））分のテールビットが必要であるが、２００ビットで限定されたデータパケットサイズによりテールビットが充分確保され難い問題を抱えている。
【０００７】
また、畳み込みコードの状態を、既存の１６ビットのテールビット使用することで「知られている状態（Ｋｎｏｗｎ  Ｓｔａｔｅ）」の一点に集めることができない。トレイスバックスタートポイント（Ｔｒａｃｅｂａｃｋ  Ｓｔａｒｔ  Ｐｏｉｎｔ）がＰＬＣＰヘッダに設定されるとき、レイスバックを実行するために、多くの状態（Ｓｔａｔｅ）のうち１つの状態を選択しなければならない。その結果、最小の状態のファインダ（Ｍｉｎｉｍｕｍ  Ｓｔａｔｅ  Ｆｉｎｄｅｒ）が必要とされる問題がある。
【特許文献１】米国公開特許２００５−０７８５９８号
【特許文献２】特開２００４−２９７３９４号公報
【非特許文献１】ＩＥＥＥ８０２．１１ｅＭＡＣ−Ｌｅｖｅｌ  ＦＥＣ  Ｐｅｒｆｏｒｍａｎｃｅ  Ｅｖａｌｕａｔｉｏｎ  ａｎｄ  Ｅｎｈａｎｃｅｍｅｎｔ（ｐａｇｅ２、ＦＩＧ２，３）、Ｓｃｈｏｏｌ  ｏｆ  Ｅｌｅｃｔｒｉｃａｌ  Ｅｎｇｉｎｅｅｒｉｎｇ  Ｓｅｏｕｌ  Ｎａｔｉｏｎａｌ  Ｕｎｉｖｅｒｓｉｔｙ出版、Ｓｕｎｇｈｙｕｎ  Ｃｈｏｉ著、２００２年１１月１７日〜２１日発行
【非特許文献２】Ｅｘｃａｌｉｂｕｒ  ｐｌａｔｆｏｒｍを用いたＷｉｒｅｌｅｓｓ  ＬＡＮの具現（ｐａｇｅ７，ＦＩＧ２−２）、韓国情報通信大学校システム集積技術研究所出版、Ｓｕｎｇｙｏｕｎｇ  Ｌｅｅ，Ｊｅｏｎｇｂｏ  Ｓｏｎ，Ｓｉｎｊｏｎｇ  Ｐａｒｋ著、２００４年１月出版
【発明の開示】
【発明が解決しようとする課題】
【０００８】
前述した問題を解決するため本発明の課題は、超広帯域通信で伝送するデータパケットを構成する場合、データパケットの予備ビットのうち一部の予備ビットをテールビットとして設定し、データパケット構成に必要な量のテールビットを充分確保することによりデータパケットの信頼性が向上された予備ビットを利用したデータパケットの構成方法及びデータパケットを提供することにある。
【課題を解決するための手段】
【０００９】
前述した目的を解決するために本発明に係る予備ビットを用いたデータパケット構成方法は、ＰＬＣＰ（Ｐｈｙｓｉｃａｌ  Ｌａｙｅｒ  Ｃｏｎｖｅｒｇｅｎｃｅ  Ｐｒｏｔｏｃｏｌ）ヘッダ内に、第１テールビット（Ｔａｉｌ  ｂｉｔｓ）と、第２テールビット、及び第３テールビットを含んで構成されるステップと、物理階層（ＰＨＹ）ヘッダの予備ビットのうち終わり部分の複数ビットを前記第１テールビットで構成するステップと、を含むことを特徴とする。
【００１０】
前記複数のビットが２ビットであることが好ましい。
【００１１】
そして、前記第１テールビットが４ビット、前記第２テールビットが６ビット、及び前記第３テールビットが６ビットで構成されることが好ましい。
【００１２】
あるいは、前記第１テールビットが５ビット、前記第２テールビットが５ビット、及び前記第３テールビットが６ビットで構成されることが好ましい。
【００１３】
前記第１テールビットが第１ＣＲＣ（Ｃｙｃｌｉｃ  Ｒｅｄｕｎｄａｎｃｙ  Ｃｈｅｃｋ）ビットであり、前記第２テールビットが第２ＣＲＣビットであることが好ましい。
【００１４】
前記第１ＣＲＣビットが５ビットであり、前記第２ＣＲＣビットが５ビットであることが好ましく、前記第１テールビットがＣＲＣビットであることが好ましい。
【００１５】
さらに、前記ＣＲＣビットが４ビットであることが好ましい。
【００１６】
一方、データパケットが、第１テールビット、第２テールビット、及び第３テールビットを含んで構成されるＰＬＣＰ（Ｐｈｙｓｉｃａｌ  Ｌａｙｅｒ  Ｃｏｎｖｅｒｇｅｎｃｅ  Ｐｒｏｔｏｃｏｌ）ヘッダと、予備ビットのうち終わり部分の複数のビットを前記第１テールビットで構成する物理階層（ＰＨＹ）ヘッダと、を含む。
【００１７】
なお、前記複数のビットが２ビットであることが好ましい。
【００１８】
そして、前記第１テールビットが４ビット、前記第２テールビットが６ビット、及び前記第３テールビットが６ビットで構成されることが好ましい。
【００１９】
あるいは前記第１テールビットが５ビット、前記第２テールビットが５ビット、及び前記第３テールビットが６ビットで構成されることが好ましい。
【００２０】
前記第１テールビットが第１ＣＲＣ（Ｃｙｃｌｉｃ  Ｒｅｄｕｎｄａｎｃｙ  Ｃｈｅｃｋ）ビットであり、前記第２テールビットが第２ＣＲＣビットであることが好ましい。
【００２１】
前記第１ＣＲＣビットが５ビットであり、前記第２ＣＲＣビットが５ビットであることが好ましい。
【００２２】
また、前記第１テールビットがＣＲＣビットであることが好ましく、前記ＣＲＣビットが４ビットであることが好ましい。
【発明の効果】
【００２３】
本発明によると、ビタビデコーダーにおいてデータパケットをデコーディングする場合最小の状態のファインダ（Ｍｉｎｉｍｕｍ  Ｓｔａｔｅ  Ｆｉｎｄｅｒ）を減らすことができ、かつデータパケットにテールビットを充分確保することができる。また、ＰＨＹヘッダにＣＲＣを使うことでデータパケットの信頼度を向上させ得る。
【発明を実施するための最良の形態】
【００２４】
以下、本発明の好ましい実施形態について添付の図面を参照して詳説する。
【００２５】
まず、各図面の構成要素に参照符号を付け加えることにおいて、同じ構成要素に対し、たとえ他の図面上に表示されたとしても同じ符号で示すことにする。
【００２６】
また、本発明の説明において、関連する公知構成または機能に対する具体的な説明については適宜省略する。
【００２７】
まず、本発明の理解のため、本発明によるパケット構造が行なわれるＰＬＣＰヘッダにつき、Ｗｉｍｅｄｉａ  ＰＨＹの規格を例にあげて説明する。これによって、通常のＵＷＢ送受信機の構成は省略する。
【００２８】
超広帯域通信に利用されるデータパケットは、ＰＬＣＰプレアンブル（Ｐｒｅａｍｂｌｅ）、ＰＨＹヘッダ、ＭＡＣ（Ｍｅｄｉａ  Ａｃｃｅｓｓ  Ｃｏｎｔｒｏｌ）ヘッダ、ＨＣＳ（Ｈｅａｄ  Ｃｈｅｃｋ  Ｓｅｑｕｅｎｃｅ）、テールビット、フレームペイロード（Ｆｒａｍｅ  Ｐａｙｌｏａｄ）、ＦＣＳ（Ｆｒａｍｅ  Ｃｈｅｃｋ  Ｓｅｑｕｅｎｃｅ）、テールビット、及びパッドビット（Ｐａｄ  ｂｉｔｓ）が伝送順に応じて順次配列された構造をもつ。
【００２９】
ＰＨＹヘッダは、データ伝送速度の情報を示すレート（Ｒａｔｅ）と、余分に配置されるリザーブド（Ｒｅｓｅｒｖｅｄ）、フレーム長さ情報を示すレングス（Ｌｅｎｇｔｈ）、そしてスクランブル方式情報を示すスクランブルイニット（Ｓｃｒａｍｂｌｅｒ  Ｉｎｉｔ）が順次配列されている。
【００３０】
ＰＬＣＰプレアンブルは、パケット同期シーケンス（Ｐａｃｋｅｔ  Ｓｙｎｃ  Ｓｅｑｕｅｎｃｅ）、フレーム同期シーケンス（Ｆｒａｍｅ  Ｓｙｎｃ  Ｓｅｑｕｅｎｃｅ）、及びチャネル推定シーケンス（Ｃｈａｎｎｅｌ  Ｅｓｔ  Ｓｅｑｕｅｎｃｅ）が順次配列されている。
【００３１】
すなわち、ＰＬＣＰパケットの先頭にはパケットの存在を示すためのプレアンブルが加えられ、このプレアンブルにはシンボルパターンが定義されている。プレアンブルに続き、信号フィールドが定義されている。信号フィールドにはパケットの情報部（Ｐａｙｌｏａｄ）を復号化するために必要な情報が含まれている。ＰＬＣＰヘッダを含んでいる信号部はノイズに強い符号化が施行されていて３９．４Ｍｂｐｓで伝送される。
【００３２】
サービスフィールドの含まれた情報部のパケットは、受信機のＳＮＲなどによってエラーが生じない範囲内で最も高いビット速度で提供される伝送速度のモードで伝送される。情報部はＰＳＤＵ（Ｐｈｙｓｉｃａｌ  Ｌａｙｅｒ  Ｓｅｒｖｉｃｅ  Ｄａｔａ  Ｕｎｉｔ）として上位階であるリンク層でやり取りできる。
【００３３】
ＭＢ−ＯＦＤＭ方式の場合、データパケットの伝送過程にて損失される信号を復旧するためにチャネルコーディング部がビットストリームにビットを追加する。好ましくは信号が特定パターンを有することを防止するため、ビットストリームの手順を交ぜて（Ｓｃｒａｍｂｌｅ）、畳み込みコーディングを行なう。追加されたビットの割合が多ければチャネル伝送中に発生するエラーを復旧できる可能性が高い。
【００３４】
畳み込みコーディングの時、ＰＬＣＰヘッダ内にあるテールビットでも行なわれるが、この時テールビットが６ビットであるとき畳み込みコードの状態（Ｓｔａｔｅ）を確実に知られている状態（Ｋｎｏｗｎ  Ｓｔａｔｅ）、すなわち「０」状態にすることができる。よって、ＰＬＣＰヘッダにある３つのテールビットが６ビットずつ合わせ１８ビットである場合に３つのテールビットをすべて使用できる。
【００３５】
本発明では既存の１６ビットのテールビットでは畳み込みコードの状態（Ｓｔａｔｅ）を知られている状態（Ｋｎｏｗｎ  Ｓｔａｔｅ）にできないため、Ｗｉｍｅｄｉａ  ＰＨＹ規格にあるテールビットの１６ビットと、ＰＬＣＰヘッダの２００ビットを維持しながら畳み込みコードの状態（Ｓｔａｔｅ）を知られている状態（Ｋｎｏｗｎ  Ｓｔａｔｅ）に切り替えるために、ＰＨＹヘッダに次ぐ第１テールビットの大きさを減らし、パリティバイト（Ｐａｒｉｔｙ  Ｂｙｔｅｓ）の次に接続されている第３テールビットの大きさを元の大きさに増大させることで、第１テールビットに不足しているビットをＰＨＹヘッダ内にあるリザーブドビット（Ｒｅｓｅｒｖｅｄ  Ｂｉｔｓ）に充当するものである。
【００３６】
図２は本発明の第１実施形態による予備ビットを利用したデータパケットの構成方法を説明するためのパケット構造を示した図面である。
【００３７】
同図に図示された本発明の第１実施形態に係るデータパケットは、ＰＬＣＰヘッダパケットで物理階層（ＰＨＹ）ヘッダに次ぐ第１テールビット部分のビットを４ビットで構成し、終り部分の第３テールビット２２０を６ビットで構成し、ＰＨＹヘッダに含まれている予備ビットうち２ビット２３０を第１テールビットに設定し構成する。ここで、第２テールビット２４０はそのまま６ビットにする。
【００３８】
すなわち、図２に示すように、４０ビットで構成されたＰＨＹヘッダで５番目バイトに当たる終り部分の３９番目ビットと４０番目ビットの２ビット２３０とをテールビットとして設定し、この２ビット２３０のテールビットがＰＨＹヘッダにつながった第１テールビット部分のビットと合わさることにより、６ビットの第１テールビットが構成されるのである。ＰＬＣＰヘッダでは６ビットで形成されたテールビット３つが含まれるようになる。
【００３９】
また、ＰＬＣＰヘッダの場合、テールビットを境界にしてパケットを分けて使用できるが、３つのテールビット２４０，２２０から構成されることからヘッダパケットを３つに分けて使用できる。
【００４０】
図３は本発明の第２実施形態による予備ビットを利用したデータパケットの構成方法を説明するためのパケット構造を示す図面である。
【００４１】
図３に示す本発明の第２実施形態によるデータパケットは、ＰＬＣＰヘッダで元のテールビットが占めた１６ビットの構成をそのまま維持するため、ＰＨＹヘッダに次ぐ第１テールビット３１０を５ビットで構成し、中間に位した第２テールビット３２０を５ビットで構成し、終り部分に位した第３テールビット３３０を６ビットで構成する。従って、元のテールビットの構成が占めている１６ビットを維持できることになる。
【００４２】
このようにテールビット３１０，３２０をそれぞれ５ビットで構成する場合、畳み込みコーディング時には使用できないが、トレイスバックスタートポイント（Ｔｒａｃｅｂａｃｋ  Ｓｔａｒｔ  Ｐｏｉｎｔ）を２状態（Ｓｔａｔｅ）のうち１つのみ選択してもよいことから、最小の状態のファインダ（Ｍａｘｉｍｕｍ  Ｓｔａｔｅ  Ｆｉｎｄｅｒ）を１つだけ使っても良い長所がある。
【００４３】
図４は本発明の第３実施形態に係る予備ビットを利用したデータパケットの構成方法を説明するためのパケット構造を示した図面である。
【００４４】
同図に示す本発明の第３実施形態に係るデータパケットは、ＰＬＣＰヘッダで物理階層（ＰＨＹ）ヘッダに連続された第１テールビット位置に５ビットの第１ＣＲＣ（Ｃｙｃｌｉｃ  Ｒｅｄｕｎｄａｎｃｙ  Ｃｈｅｃｋ）ビット４１０と、第２テールビット位置に５ビットの第２ＣＲＣビット４２０を構成し、終り部分に位置した第３テールビット位置に１つのテールビット４３０を６ビットで構成する。
【００４５】
したがって、システマティック・コード（Ｓｙｓｔｅｍａｔｉｃ  Ｃｏｄｅ）にエンコードされたデータパケットにおいてエラー訂正のためのＣＲＣビットをデータパケットの中間に構成させることで、ＰＬＣＰヘッダにて予めエラー訂正を行い、再度システム本来のＣＲＣビットにてエラー訂正を行なうことにより、データパケットの信頼度が高められる。
【００４６】
一方、ＰＬＣＰパケットの伝送時に、伝送データはＰＨＹヘッダ生成器とＭＡＣヘッダ生成器、データ＋ＦＣＳ（Ｆｒａｍｅ  Ｃｈｅｃｋ  Ｓｅｑｕｅｎｃｅ）生成器に入力される。ＰＨＹヘッダ生成器は、入力されるデータに相応するようＰＨＹヘッダ、すなわちスクランブル・シード（ｓｃｒａｍｂｌｅ  ｓｅｅｄ）情報、ＭＡＣフレームの伝送速度及びデータの長さなどに対する情報を含むＰＨＹヘッダを生成してから、多重化器（ＭＵＸ）に出力する。
【００４７】
ＭＡＣヘッダ生成器は入力されるデータに相応するようＭＡＣヘッダ、つまりフレーム調整信号と、ピコネット（ＰｉｃｏＮｅｔ）ＩＤ、目的地（Ｄｅｓｔｉｎａｔｉｏｎ）ＩＤ、ソース（Ｓｏｕｒｃｅ）ＩＤ、フラグメンテーション・コントロール（Ｆｒａｇｍｅｎｔａｔｉｏｎ  Ｃｏｎｔｒｏｌ）情報及びストリームインデックス情報を含むＭＡＣヘッダを生成した後、多重化器（ＭＵＸ）に出力する。
【００４８】
データ＋ＦＣＳ生成器は、入力されるデータに相応するようデータ＋ＦＣＳを生成して、後多重化器（ＭＵＸ）に出力する。ここで、データ＋ＦＣＳ生成器は生成されたデータと伝送データに相応するようＣＲＣ方式によってフレームをチェックするために利用されるフィールドであるＦＣＳを挿入し出力する。
ここで、ＦＣＳは、イーサネット（登録商標）フレームの最後の４オクテット（３２ｂｉｔ）であり、受信したデータが正しいかどうかをチェックするための３２ｂｉｔのＣＲＣであり、ＣＲＣの計算はフレームの先頭からデータ部の終わりまでであり、ＦＣＳ自身はＣＲＣの算出には含めない。受信ノードでは、受信したデータからＦＣＳを再計算し、送られてきたＦＣＳと一致しなかった場合は、そのフレームは壊れたものとして廃棄する。
【００４９】
多重化器（ＭＵＸ）は、ＰＨＹヘッダ生成器とＭＡＣヘッダ生成器で出力した信号を物理階層フレーム構造に応じるべく多重化した後、ＨＣＳ（Ｈｅａｄ  Ｃｈｅｃｋ  Ｓｅｑｕｅｎｃｅ）生成器に出力する。ＨＣＳ生成器は、ＰＨＹヘッダとＭＡＣヘッダに相応するようＨＣＳを生成してから多重化器に出力する。
【００５０】
多重化器はＭＡＣヘッダ生成器とデータ＋ＦＣＳ生成器から出力した信号を物理階層フレーム構造に相応するよう多重化してからスクランブラー（Ｓｃｒａｍｂｌｅｒ）に出力する。スクランブラーは多重化器で出力した信号を入力し予め設定されているスクランブル・シード情報を持ってスクランブルリングしてから多重化器に出力する。多重化器はＰＨＹヘッダ生成器で出力した信号と、スクランブラーで出力した信号とをＰＨＹ階層フレーム構造に相応するよう多重化して出力する。
【００５１】
テール生成器は、トレリス（ｔｒｅｌｌｉｓ）初期状態を示すためにテールシンボルを生成した後、多重化器に出力する。多重化器は各構成で出力した信号とテール生成器で出力した信号をＰＨＹ階層フレーム構造に相応するよう多重化してから変調器に出力する。よって、変調器はＯＦＤＭ変造方式に基づいて変調された後出力される。
【００５２】
図５は、本発明の第４の実施形態に係る予備ビットを利用したデータパケットの構成方法を説明するためのパケット構造を示した図面である。
【００５３】
同図に示す本発明の第４の実施形態に係るデータパケットは、ＰＬＣＰヘッダ構成においてＰＨＹヘッダに連続し第１テールビットの位置に４ビットのＣＲＣビット５１０を構成し、第２テールビットの位置に６ビットの第１テールビット５２０を構成し、第３テールビットの位置に６ビットの第２テールビット５３０を構成したものである。
【００５４】
したがって、システマティック・コード（Ｓｙｓｔｅｍａｔｉｃ  Ｃｏｄｅ）にエンコードされたデータパケットにて、データパケット中間にエラー訂正を行なうためのＣＲＣと、トレリス初期状態のためのテールビットを同時に使用することによって、情報の信頼度が高められると同時に情報ビットとパリティ（Ｐａｒｉｔｙ）ビットとを分離できるようになる。
【００５５】
前述した本発明によると、超広帯域（ＵＷＢ）通信で伝送するデータパケットを構成する場合、データパケットの予備ビットのうち一部の予備ビットをテールビットとして設定し、データパケット構成に必要な量のテールビットを充分確保することにより、データパケットの信頼性が高められた予備ビットを利用したデータパケットの構成方法が実現できる。
【００５６】
以上、図面に基づいて本発明の好適な実施形態を図示および説明してきたが本発明の技術的範囲は、前述の実施形態に限定するものではなく、特許請求の範囲に記載された発明とその均等物にまで及ぶものである。
【図面の簡単な説明】
【００５７】
【図１】超広帯域通信にてＭＢ−ＯＦＤＭ方式に基づいて送受信されるＰＬＣＰヘッダのパケット構造を示した図面である。
【図２】本発明の第１の実施形態に係る予備ビットを利用したデータパケットの構成方法を説明するためのパケット構造を示した図面である。
【図３】本発明の第２の実施形態に係る予備ビットを利用したデータパケットの構成方法を説明するためのパケット構造を示した図面である。
【図４】本発明の第３の実施形態に係る予備ビットを利用したデータパケットの構成方法を説明するためのパケット構造を示した図面である。
【図５】本発明の第４の実施形態に係る予備ビットを利用したデータパケットの構成方法を説明するためのパケット構造を示した図面である。
【符号の説明】
【００５８】
１１０，３１０，５２０  第１テールビット
１２０，２４０，３２０，５３０  第２テールビット
１３０，２２０，３３０  第３テールビット
２３０  ２ビット
４１０  第１ＣＲＣビット
４２０  第２ＣＲＣビット
４３０  テールビット
５１０  ＣＲＣビット
【図１】
2007110729.tif 000003
【図２】
2007110729.tif 000004
【図３】
2007110729.tif 000005
【図４】
2007110729.tif 000006
【図５】
2007110729.tif 000007